【手続補正書】
【提出日】平成16年12月3日(2004.12.3)
【手続補正１】
【補正対象書類名】特許請求の範囲
【補正対象項目名】全文
【補正方法】変更
【補正の内容】
【特許請求の範囲】
【請求項１】
無線アクセスネットワークを有しているサービスを行う無線ネットワーク制御局（ＳＲＮＣ）により制御されるユーザ機器ユニット（ＵＥ）との無線接続をサポートする、セルラ通信システムの前記無線アクセスネットワークにおいて使用される方法であって、前記方法は、
（１）ドリフト無線ネットワーク制御局（ＤＲＮＣ）は、前記サービスを行う無線ネットワーク制御局（ＳＲＮＣ）に対して、前記ユーザ機器ユニット（ＵＥ）が前記ドリフト無線ネットワーク制御局（ＤＲＮＣ）によって制御されるセルにおいてＦＡＣＨ共通転送チャネルの使用を求めるとき、前記ドリフト無線ネットワーク制御局（ＤＲＮＣ）が共通転送チャネル資源初期化手順の開始を必要とするかどうかの信号を発信し、
（２）もし、前記（１）での信号の発信が、前記ドリフト無線ネットワーク制御局（ＤＲＮＣ）が前記共通転送チャネル資源初期化手順の開始を必要としないことを示すなら、前記セルにおける前記ユーザ機器ユニット（ＵＥ）に関して、前記共通転送チャネル資源初期化手順を実行しないことを特徴とする方法。
【請求項２】
さらに、前記ドリフト無線ネットワーク制御局（ＤＲＮＣ）と前記サービスを行う無線ネットワーク制御局（ＳＲＮＣ）との間で存在する信号メッセージを利用して、前記（１）の工程の信号の発信を実行することを特徴とする請求項１に記載の方法。
【請求項３】
さらに、前記ドリフト無線ネットワーク制御局（ＤＲＮＣ）から前記サービスを行う無線ネットワーク制御局（ＳＲＮＣ）に送信されるＲＮＳＡＰ  ＵＬ  シグナリング・トランスファー・メッセージを利用して、前記（１）の工程の信号の発信を実行することを特徴とする請求項２に記載の方法。
【請求項４】
さらに、前記ドリフト無線ネットワーク制御局（ＤＲＮＣ）は、前記ドリフト無線ネットワーク制御局（ＤＲＮＣ）が前記共通転送チャネル資源初期化手順の開始を必要とするかどうかを決定し、
前記決定は、前記ドリフト無線ネットワーク制御局（ＤＲＮＣ）によって制御されるセルについて、
（ａ）前記ＦＡＣＨ転送チャネルによって転送されるデータの長さ制限と
（ｂ）フロー制御条件との
内の１つ以上のものについての違いに基づくことを特徴とする請求項１に記載の方法。
【請求項５】
さらに、もし、前記サービスを行う無線ネットワーク制御局（ＳＲＮＣ）が、該サービスを行う無線ネットワーク制御局（ＳＲＮＣ）と前記ドリフト無線ネットワーク制御局（ＤＲＮＣ）との間のインタフェースにより、新しい転送ベアラが必要とされると判断するなら、前記サービスを行う無線ネットワーク制御局（ＳＲＮＣ）は、前記（１）の工程の信号の発信を実行するかどうかに係りなく、前記共通転送チャネル資源初期化手順を開始することを特徴とする請求項１に記載の方法。
【請求項６】
無線アクセスネットワークを有しているサービスを行う無線ネットワーク制御局（ＳＲＮＣ）により制御されるユーザ機器ユニット（ＵＥ）との無線接続をサポートする、セルラ通信システムの前記無線アクセスネットワークにおいて使用される方法であって、前記方法は、
（１）ドリフト無線ネットワーク制御局（ＤＲＮＣ）は、前記サービスを行う無線ネットワーク制御局（ＳＲＮＣ）に対して、前記ユーザ機器ユニット（ＵＥ）が前記ドリフト無線ネットワーク制御局（ＤＲＮＣ）によって制御されるセルにおいてＦＡＣＨ共通転送チャネルの使用を求めるとき、前記ドリフト無線ネットワーク制御局（ＤＲＮＣ）が共通転送チャネル資源初期化手順の開始を必要とするかどうかの信号を発信し、
（２）もし、前記（１）での信号の発信が、前記ドリフト無線ネットワーク制御局（ＤＲＮＣ）が前記共通転送チャネル資源初期化手順の開始を必要としないことを示すなら、前記セルにおける前記ユーザ機器ユニット（ＵＥ）に関して、前記共通転送チャネル資源初期化手順を前記サービスを行う無線ネットワーク制御局（ＳＲＮＣ）の都合で随意的に実行しないことを特徴とする方法。
【請求項７】
さらに、前記ドリフト無線ネットワーク制御局（ＤＲＮＣ）と前記サービスを行う無線ネットワーク制御局（ＳＲＮＣ）との間で存在する信号メッセージを利用して、前記（１）の工程の信号の発信を実行することを特徴とする請求項６に記載の方法。
【請求項８】
さらに、前記ドリフト無線ネットワーク制御局（ＤＲＮＣ）から前記サービスを行う無線ネットワーク制御局（ＳＲＮＣ）に送信されるＲＮＳＡＰ  ＵＬ  シグナリング・トランスファー・メッセージを利用して、前記（１）の工程の信号の発信を実行することを特徴とする請求項７に記載の方法。
【請求項９】
さらに、前記ドリフト無線ネットワーク制御局（ＤＲＮＣ）は、前記ドリフト無線ネットワーク制御局（ＤＲＮＣ）が前記共通転送チャネル資源初期化手順の開始を必要とするかどうかを決定し、
前記決定は、前記ドリフト無線ネットワーク制御局（ＤＲＮＣ）によって制御されるセルについて、
（ａ）前記ＦＡＣＨ転送チャネルによって転送されるデータの長さ制限と
（ｂ）フロー制御条件との
内の１つ以上のものについての違いに基づくことを特徴とする請求項６に記載の方法。
【請求項１０】
さらに、もし、前記サービスを行う無線ネットワーク制御局（ＳＲＮＣ）が、該サービスを行う無線ネットワーク制御局（ＳＲＮＣ）と前記ドリフト無線ネットワーク制御局（ＤＲＮＣ）との間のインタフェースにより新しい転送ベアラが必要とされると判断するなら、前記サービスを行う無線ネットワーク制御局（ＳＲＮＣ）は、前記（１）の工程の信号の発信を実行するかどうかに係りなく、前記共通転送チャネル資源初期化手順を開始することを特徴とする請求項６に記載の方法。
【請求項１１】
サービスを行う無線ネットワーク制御局（ＳＲＮＣ）により制御されるユーザ機器ユニット（ＵＥ）との無線接続をサポートするセルラ通信システムの前記無線ネットワーク制御局に含まれる無線アクセスネットワークであって、
前記無線アクセスネットワークを有するドリフト無線ネットワーク制御局（ＤＲＮＣ）を有し、
前記ユーザ機器ユニット（ＵＥ）が前記ドリフト無線ネットワーク制御局（ＤＲＮＣ）によって制御されるセルにおいてＦＡＣＨ共通転送チャネルの使用を求めるとき、前記ドリフト無線ネットワーク制御局（ＤＲＮＣ）は、前記サービスを行う無線ネットワーク制御局（ＳＲＮＣ）に対して、共通転送チャネル資源初期化手順の開始を必要とするかどうかの信号を発信し、
もし、前記ドリフト無線ネットワーク制御局（ＤＲＮＣ）が前記共通転送チャネル資源初期化手順の開始を必要としないなら、前記サービスを行う無線ネットワーク制御局（ＳＲＮＣ）は、前記セルにおける前記ユーザ機器ユニット（ＵＥ）に関して、前記共通転送チャネル資源初期化手順を開始しないことを特徴とする無線アクセスネットワーク。
【請求項１２】
さらに、前記ドリフト無線ネットワーク制御局（ＤＲＮＣ）と前記サービスを行う無線ネットワーク制御局（ＳＲＮＣ）との間で存在する信号メッセージは、前記ドリフト無線ネットワーク制御局（ＤＲＮＣ）が前記共通転送チャネル資源初期化手順の開始を必要とするかどうかの信号の発信を行うことを特徴とする請求項１１に記載の無線アクセスネットワーク。
【請求項１３】
前記存在する信号メッセージは、前記ドリフト無線ネットワーク制御局（ＤＲＮＣ）から前記サービスを行う無線ネットワーク制御局（ＳＲＮＣ）に送信されるＲＮＳＡＰ  ＵＬ  シグナリング・トランスファー・メッセージであることを特徴とする請求項１１に記載の無線アクセスネットワーク。
【請求項１４】
前記ドリフト無線ネットワーク制御局（ＤＲＮＣ）は、前記ドリフト無線ネットワーク制御局（ＤＲＮＣ）が前記共通転送チャネル資源初期化手順の開始を必要とするかどうかを決定し、
前記決定は、前記ドリフト無線ネットワーク制御局（ＤＲＮＣ）によって制御されるセルについて、
（ａ）前記ＦＡＣＨ転送チャネルによって転送されるデータの長さ制限と
（ｂ）フロー制御条件との
内の１つ以上のものについての違いに基づくことを特徴とする請求項１１に記載の無線アクセスネットワーク。
【請求項１５】
もし、前記サービスを行う無線ネットワーク制御局（ＳＲＮＣ）が、該サービスを行う無線ネットワーク制御局（ＳＲＮＣ）と前記ドリフト無線ネットワーク制御局（ＤＲＮＣ）との間のインタフェースにより、新しい転送ベアラが必要とされると判断するなら、前記サービスを行う無線ネットワーク制御局（ＳＲＮＣ）は、前記（１）の工程の信号の発信を実行するかどうかに係りなく、前記共通転送チャネル資源初期化手順を開始することを特徴とする請求項１１に記載の無線アクセスネットワーク。
【請求項１６】
サービスを行う無線ネットワーク制御局（ＳＲＮＣ）により制御されるユーザ機器ユニット（ＵＥ）との無線接続をサポートする、セルラ通信システムの前記無線ネットワーク制御局に含まれる無線アクセスネットワークであって、
前記無線アクセスネットワークを有するドリフト無線ネットワーク制御局（ＤＲＮＣ）を有し、
前記ユーザ機器ユニット（ＵＥ）が前記ドリフト無線ネットワーク制御局（ＤＲＮＣ）によって制御されるセルにおいてＦＡＣＨ共通転送チャネルの使用を求めるとき、前記ドリフト無線ネットワーク制御局（ＤＲＮＣ）は、前記サービスを行う無線ネットワーク制御局（ＳＲＮＣ）に対して、共通転送チャネル資源初期化手順の開始を必要とするかどうかの信号を発信し、
もし、前記ドリフト無線ネットワーク制御局（ＤＲＮＣ）が前記共通転送チャネル資源初期化手順の開始を必要としないなら、前記セルにおける前記ユーザ機器ユニット（ＵＥ）に関して、前記サービスを行う無線ネットワーク制御局（ＳＲＮＣ）の都合に従って、前記サービスを行う無線ネットワーク制御局（ＳＲＮＣ）は、前記共通転送チャネル資源初期化手順を随意的に実行しないことを特徴とする無線アクセスネットワーク。
【請求項１７】
さらに、前記ドリフト無線ネットワーク制御局（ＤＲＮＣ）が前記共通転送チャネル資源初期化手順の開始を必要とするかどうかの信号の発信を行うための前記ドリフト無線ネットワーク制御局（ＤＲＮＣ）と前記サービスを行う無線ネットワーク制御局（ＳＲＮＣ）との間で存在する信号メッセージで特徴づけられる請求項１６に記載の無線アクセスネットワーク。
【請求項１８】
前記存在する信号メッセージは、前記ドリフト無線ネットワーク制御局（ＤＲＮＣ）から前記サービスを行う無線ネットワーク制御局（ＳＲＮＣ）に送信されるＲＮＳＡＰ  ＵＬ  シグナリング・トランスファー・メッセージであることを特徴とする請求項１７に記載の無線アクセスネットワーク。
【請求項１９】
前記ドリフト無線ネットワーク制御局（ＤＲＮＣ）は、前記ドリフト無線ネットワーク制御局（ＤＲＮＣ）が前記共通転送チャネル資源初期化手順の開始を必要とするかどうかを決定し、
前記決定は、前記ドリフト無線ネットワーク制御局（ＤＲＮＣ）によって制御されるセルについて、
（ａ）前記ＦＡＣＨ転送チャネルによって転送されるデータの長さ制限と
（ｂ）フロー制御条件との
内の１つ以上のものについての違いに基づくことを特徴とする請求項１６に記載の無線アクセスネットワーク。
【請求項２０】
もし、前記サービスを行う無線ネットワーク制御局（ＳＲＮＣ）が、該サービスを行う無線ネットワーク制御局（ＳＲＮＣ）と前記ドリフト無線ネットワーク制御局（ＤＲＮＣ）との間のインタフェースにより、新しい転送ベアラが必要とされると判断するなら、前記サービスを行う無線ネットワーク制御局（ＳＲＮＣ）は、前記（１）の工程の信号の発信を実行するかどうかに係りなく、前記共通転送チャネル資源初期化手順を開始することを特徴とする請求項１６に記載の無線アクセスネットワーク。
【請求項２１】
ユーザ機器ユニット（ＵＥ）との無線接続をサポートするセルラ通信システムの無線アクセスネットワークのドリフト無線ネットワーク制御局（ＤＲＮＣ）であって、
前記ユーザ機器ユニット（ＵＥ）が前記ドリフト無線ネットワーク制御局（ＤＲＮＣ）によって制御されるセルにおいてフォワード・アクセス・チャネル（ＦＡＣＨ）共通転送チャネルの使用を求めるとき、共通転送チャネル資源初期化手順の開始を必要とするかどうかを決定する手段と、
前記決定に従って、サービスを行う無線ネットワーク制御局（ＳＲＮＣ）に対して、前記ドリフト無線ネットワーク制御局（ＤＲＮＣ）が前記共通転送チャネル資源初期化手順の開始を必要とするかどうかの信号を発信する手段とを有することを特徴とするドリフト無線ネットワーク制御局。
【請求項２２】
前記決定は、前記ドリフト無線ネットワーク制御局（ＤＲＮＣ）によって制御されるセルについて、
（ａ）前記ＦＡＣＨ転送チャネルによって転送されるデータの長さ制限と
（ｂ）フロー制御条件との
内の１つ以上のものについての違いに基づくことを特徴とする請求項２１に記載のドリフト無線ネットワーク制御局。
【請求項２３】
前記信号の発信は、前記ドリフト無線ネットワーク制御局（ＤＲＮＣ）が前記共通転送チャネル資源初期化手順の開始を必要とするかどうかの信号の発信を行うために、前記ドリフト無線ネットワーク制御局（ＤＲＮＣ）と前記サービスを行う無線ネットワーク制御局（ＳＲＮＣ）との間で存在する信号を送信することにより実行されることを特徴とする請求項２１に記載のドリフト無線ネットワーク制御局。
【請求項２４】
前記存在する信号メッセージは、前記ドリフト無線ネットワーク制御局（ＤＲＮＣ）から前記サービスを行う無線ネットワーク制御局（ＳＲＮＣ）に送信されるＲＮＳＡＰ  ＵＬ  シグナリング・トランスファー・メッセージであることを特徴とする請求項２３に記載のドリフト無線ネットワーク制御局。
【請求項２５】
ユーザ機器ユニット（ＵＥ）との無線接続をサポートするセルラ通信システムの無線アクセスネットワークのサービスを行う無線ネットワーク制御局（ＳＲＮＣ）であって、
ドリフト無線ネットワーク制御局（ＤＲＮＣ）が共通転送チャネル資源初期化手順の開始を必要とするかどうかを示す信号メッセージを受信する手段と、
前記共通転送チャネル資源初期化手順の開始を要求しないことを示す前記ドリフト無線ネットワーク制御局（ＤＲＮＣ）からの信号メッセージの受信に応答して、セルのユーザ機器ユニット（ＵＥ）に関して前記共通転送チャネル資源初期化手順の実行を随意的に禁止する手段とを有することを特徴とするサービスを行う無線ネットワーク制御局。
【請求項２６】
前記ドリフト無線ネットワーク制御局（ＤＲＮＣ）が前記共通転送チャネル資源初期化手順の開始を要求することを示す前記信号メッセージの受信に応答して、前記共通転送チャネル資源初期化手順を実行するように構成されることを特徴とするサービスを行う請求項２５に記載のサービスを行う無線ネットワーク制御局。